(57)【特許請求の範囲】
【請求項１】
時計ムーブメントと、
前記時計ムーブメントを収納するケースと、
前記ケースの開口部周面に固定される透明性を有するカバー部材と、
前記ケースと前記カバー部材との間に介在する環状のパッキンと、を有し、
前記カバー部材は、平面形状が円形形状であり、前記カバー部材の外周部は、前記パッキンの内側周面と接するカバー部材側面と、前記カバー部材側面の下端から底面側に傾斜する傾斜面とが形成され、
前記パッキンの内側周面側には、前記カバー部材側面と接して前記カバー部材を回転可能に仮固定するための仮固定大径内周面と、前記仮固定大径内周面よりも下方側に位置して、前記仮固定大径内周面よりも小さな内径を有し、前記仮固定から前記カバー部材を圧入させることで圧縮変形して前記カバー部材側面を本固定する本固定小径内周面とが形成された時計であって、
前記パッキンの、前記仮固定大径内周面の下端と前記本固定小径内周面の上端との間に、前記仮固定大径内周面から前記本固定小径内周面側へ傾斜した傾斜面が形成されており、
前記カバー部材に形成した前記傾斜面の傾斜方向長さが、前記パッキンに形成した前記傾斜面の傾斜方向長さよりも長く設定され、
かつ前記カバー部材に形成した前記傾斜面の傾斜角度が、前記パッキンに形成した前記傾斜面の傾斜角度より大きく設定されていることを特徴とする時計。
【請求項２】
前記パッキンに形成された前記本固定小径内周面が前記カバー部材側面に面接触する部分における高さ方向長さが、前記カバー部材に形成された前記傾斜面の高さ方向長さよりも長く設定されていることを特徴とする請求項１に記載の時計。
【請求項３】
前記仮固定のときに、前記パッキンに形成した前記傾斜面の下端部に前記カバー部材に形成した前記傾斜面が線接触することで、前記カバー部材が位置決めされることを特徴とする請求項１又は２に記載の時計。
【請求項４】
前記ケースの開口部周面に、前記パッキンの外側周面が密着するように設置され、前記ケースの開口部周面には、前記本固定時に前記パッキンに形成した前記本固定小径内周面の圧縮変形にともなう前記パッキンの外側周面側へのはみ出しの一部を逃がすための凹部が周方向に沿って形成されていることを特徴とする請求項１乃至３のいずれか一項に記載の時計。
【請求項５】
前記凹部は、前記パッキンに形成した前記本固定小径内周面における前記カバー部材側面と対向する部分の高さ方向の範囲内に位置していることを特徴とする請求項４に記載の時計。
【請求項６】
前記カバー部材の少なくとも一方側の面には、前記カバー部材における回転位置の基準となる位置合せ部が設けられていることを特徴とする請求項１乃至５のいずれか一項に記載の時計。
【請求項７】
前記カバー部材の内側に、目盛りを設けた部材が設置されており、
前記仮固定時に、前記目盛りとの回転位置が一致したときに、前記カバー部材が所定の回転位置になるように、前記カバー部材に前記位置合わせ部を設けたことを特徴とする請求項６に記載の時計。
【請求項８】
前記仮固定のときに前記仮固定大径内周面を含む前記パッキンの内側周面が前記カバー部材に面接触する部分における高さ方向の表面に沿った長さが、前記本固定のときに前記本固定小径内周面が前記カバー部材側面に面接触する部分における高さ方向長さよりも短く設定されていることを特徴とする請求項１乃至７のいずれか一項に記載の時計。
【発明の詳細な説明】
【技術分野】
【０００１】
本発明は、風防ガラスとケースとの間にパッキンが介装された時計に関する。
【背景技術】
【０００２】
従来の腕時計タイプの時計では、風防ガラスの外周部がケースの開口部周面にパッキンを介して圧入されている（例えば、特許文献１参照）。
【０００３】
特許文献１に記載の時計は、風防ガラス（ガラス）とケース（胴）との間に介装されるパッキンに、風防ガラスの外周部を挿入させて位置決めするための仮固定大径内周面（案内部）及び傾斜面（面取り）と、圧縮変形することで風防ガラスの外周部が圧入固定される本固定小径内周面（圧縮部）が形成されている。
【０００４】
このように、風防ガラスの外周部をパッキンの本固定小径内周面（圧縮部）に圧入して本固定する前に、風防ガラスを仮固定大径内周面（案内部）と傾斜面（面取り）とに接触させて仮固定し、位置決めするようにしている。
【先行技術文献】
【特許文献】
【０００５】
【特許文献１】特開平１１−１０９０５２号公報
【発明の概要】
【発明が解決しようとする課題】
【０００６】
ところで、特許文献１のパッキンは、風防ガラスの外周部を接触させて仮固定するときの、仮固定大径内周面（案内部）と傾斜面（面取り）の風防ガラス（側面及び面取り）との接触面の断面長さが、本固定時に圧接される本固定小径内周面（圧縮部）の風防ガラスの側面との接触面の断面長さよりも長くなっている（特許文献１の図３（Ｂ）参照）。
【０００７】
このため、仮固定時での、パッキンの仮固定大径内周面（案内部）と傾斜面（面取り）の風防ガラスとの接触面での摩擦力が大きくなる。従って、特許文献１のような樽型形状の風防ガラスとは異なる円形形状の風防ガラスを固定する場合には、仮固定時に風防ガラスに回転方向の位置ずれが生じていても、風防ガラスの回転に大きな摩擦力が働いて、容易に位置ずれを調整（修正）することが難しかった。
【０００８】
また、本固定時に、パッキンが、風防ガラスの側面を垂直方向に押圧して風防ガラスを固定する固定力にも、改善の余地があった。
【０００９】
そこで、本発明は、仮固定時に風防ガラスに回転方向の位置ずれが生じていても容易に位置ずれを調整することができ、本固定時に風防ガラスを強い固定力で固定可能な時計を提供することを目的とする。
【課題を解決するための手段】
【００１０】
前記目的を達成するために本発明の請求項１に係る時計は、時計ムーブメントと、前記時計ムーブメントを収納するケースと、前記ケースの開口部周面に固定される透明性を有するカバー部材と、前記ケースと前記カバー部材との間に介在する環状のパッキンと、を有し、前記カバー部材は、平面形状が円形形状であり、前記カバー部材の外周部は、前記パッキンの内側周面と接するカバー部材側面と、前記カバー部材側面の下端から底面側に傾斜する傾斜面とが形成され、前記パッキンの内側周面側には、前記カバー部材側面と接して前記カバー部材を回転可能に仮固定するための仮固定大径内周面と、前記仮固定大径内周面よりも下方側に位置して、前記仮固定大径内周面よりも小さな内径を有し、前記仮固定から前記カバー部材を圧入させることで圧縮変形して前記カバー部材側面を本固定する本固定小径内周面とが形成された時計であって、前記パッキンの、前記仮固定大径内周面の下端と前記本固定小径内周面の上端との間に、前記仮固定大径内周面から前記本固定小径内周面側へ傾斜した傾斜面が形成されており、前記カバー部材に形成した前記傾斜面の傾斜方向長さが、前記パッキンに形成した前記傾斜面の傾斜方向長さよりも長く設定され、かつ前記カバー部材に形成した前記傾斜面の傾斜角度が、前記パッキンに形成した前記傾斜面の傾斜角度より大きく設定されていることを特徴としている。
【００１１】
本発明の請求項２に係る時計は、前記パッキンに形成された前記本固定小径内周面が前記カバー部材側面に面接触する部分における高さ方向長さが、前記カバー部材に形成された前記傾斜面の高さ方向長さよりも長く設定されていることを特徴としている。
【００１３】
本発明の請求項３に係る時計は、前記仮固定のときに、前記パッキンに形成した前記傾斜面の下端部に前記カバー部材に形成した前記傾斜面が線接触することで、前記カバー部材が位置決めされることを特徴としている。
【００１４】
本発明の請求項４に係る時計は、前記ケースの開口部周面に、前記パッキンの外側周面が密着するように設置され、前記ケースの開口部周面には、前記本固定時に前記パッキンに形成した前記本固定小径内周面の圧縮変形にともなう前記パッキンの外側周面側へのはみ出しの一部を逃がすための凹部が周方向に沿って形成されていることを特徴としている。
【００１５】
本発明の請求項５に係る時計は、前記凹部は前記パッキンに形成した前記本固定小径内周面における前記カバー部材側面と対向する部分の高さ方向の範囲内に位置していることを特徴としている。
【００１６】
本発明の請求項６に係る時計は、前記カバー部材の少なくとも一方側の面には、前記カバー部材における回転位置の基準となる位置合せ部が設けられていることを特徴としている。
【００１７】
本発明の請求項７に係る時計は、前記カバー部材の内側に、目盛りを設けた部材が設置されており、前記仮固定時に、前記目盛りとの回転位置が一致したときに、前記カバー部材が所定の回転位置になるように、前記カバー部材に前記位置合わせ部を設けたことを特徴としている。
本発明の請求項８に係る時計は、前記仮固定のときに前記仮固定大径内周面を含む前記パッキンの内側周面が前記カバー部材に面接触する部分における高さ方向の表面に沿った長さが、前記本固定のときに前記本固定小径内周面が前記カバー部材側面に面接触する部分における高さ方向長さよりも短く設定されていることを特徴としている。
【発明の効果】
【００１８】
本発明の時計によれば、仮固定のときに仮固定大径内周面を含むパッキンの内側周面がカバー部材に面接触する部分における高さ方向の表面に沿った長さが、本固定のときに本固定小径内周面がカバー部材側面に面接触する部分における高さ方向長さよりも短く設定されている。よって、仮固定時での、パッキンの仮固定大径内周面とカバー部材との接触面での摩擦力を小さくすることができるので、仮固定時にカバー部材に回転方向の位置ずれが生じていても容易に位置ずれを調整することができる。また、本固定時での、パッキンがカバー部材を固定する押圧力を大きくすることができる。
【図面の簡単な説明】
【００１９】
【図１】本発明の実施形態に係る時計の表面側（文字板側）を示す平面図。
【図２】図１のＡ−Ａ線断面図。
【図３】本実施形態に係る時計の風防ガラスを示す平面図。
【図４】図３のＢ−Ｂ線断面図。
【図５】風防ガラスと文字板の「１２時」付近を示す拡大図。
【図６】本実施形態に係る時計のパッキンを示す平面図。
【図７】図６のＣ−Ｃ線断面図。
【図８】（ａ）〜（ｄ）は、風防ガラスをケースの開口部周面に設置したパッキンの内側周面に圧入して組み込むときの手順を示した図。
【図９】仮固定時に、風防ガラスの下部傾斜面がパッキン傾斜面の端部に線接触で接している状態を示した図。
【図１０】仮固定時に、風防ガラスの表記部の「LON」の位置が、文字板の「１２時」の時刻目盛に対して少し右側にずれている状態を示した図。
【発明を実施するための形態】
【００２０】
以下、本発明を図示の実施形態に基づいて説明する。図１は、本実施形態に係る時計の表面側（文字板側）を示す平面図、図２は、図１のＡ−Ａ線断面図である。なお、本実施形態における時計は、指針（時針、分針、秒針）で時刻を表示する腕時計タイプの例である。
【００２１】
図１、図２に示すように、本実施形態に係る時計１は、ケース２の表面側に設けた円形状の風防ガラス３の内側に円板状の文字板４が設置されており、文字板４上の中心には指針（時針５、分針６、秒針７）が同軸上に設置されている。ケース２は、例えばステンレスなどの金属によって形成されている。風防ガラス３は、例えば透明なサファイアガラスによって形成されている。
【００２２】
風防ガラス３の外周部は、ケース２の開口部周面２ａに後述する円環状のパッキン８を介して圧入されている。パッキン８は、風防ガラス３の外周部とケース２の開口部周面２ａとの間の防水性や防塵性を確保する機能を有している。ケース２の開口部周面２ａの下部には、平面状の段部２ｂが周方向に沿って形成されている。
【００２３】
ケース２内の文字板４の背面側と裏蓋９との間には、時計ムーブメント１０、不図示の駆動源（二次電池や太陽電池）等が組み込まれている。文字板４の「３時」（図１の右側）に位置するケース２の外側面には竜頭（リューズ）１１が設置されており、この竜頭１１に連結された巻真（不図示）は、時計ムーブメント１０の内部まで延びている。
【００２４】
図３に示すように、透明な風防ガラス３の内面には、外周側に周方向に沿って所定の間隔で表記部１２が印刷されている。表記部１２には、本実施形態では複数の都市名（LON（ロンドン）、PAR（パリ）、ATH（アテネ）などの３文字の英文字）と、時差（LON（ロンドン）を時差０としたときの各都市での時差）が表記されている。例えば、PAR（パリ）では、時差が＋１（基準となるLON（ロンドン）に対して１時間進んでいる）と表記されている。
【００２５】
尚、図３は、表記部（都市名、時差）１２を風防ガラス３の外面側（表面側）から見た状態であり、この表記部１２は、風防ガラス３の内面に左右反転印刷されている。この表記部１２は、風防ガラス３の外周部のほぼ全周に設けられ、図３では、「１２時」位置の周囲付近だけを図示し、残りは省略している。
【００２６】
風防ガラス３の外周部端面は、図４に示すように、両縁部が内側に傾斜した上部傾斜面３ａ及び下部傾斜面３ｂと、上部傾斜面３ａと下部傾斜面３ｂとの間に垂直面状の風防側面３ｃが形成されている。なお、図４は、図３のＢ−Ｂ線断面である。
【００２７】
風防ガラス３がケース２に正しく位置決めされて固定されている状態では、図１、図５に示すように、風防ガラス３に印刷されている表記部１２の都市名と時差を示す「LON」、「０」の位置が、文字板４上の「１２時」を示す時刻目盛１３と合致している。
【００２８】
次に、パッキン８の詳細について説明する。図６は、パッキン８を示す平面図、図７は、図６のＣ−Ｃ線断面図である。
【００２９】
図６に示すように、パッキン８は、ケース２の開口部周面２ａに沿って配置されるように円環状に形成されている。パッキン８の材質としては、力が加わることで圧縮変形可能な合成樹脂材（例えば、耐候性に優れたフッ素樹脂など）が用いられている。なお、パッキン８は、時計１の外観的には目立たない方が好ましいので透明樹脂によって形成されている。
【００３０】
また、図７に示すように、パッキン８の外側周面８ａは、ケース２の開口部周面２ａに密着されるように垂直面状に形成されている。
【００３１】
一方、風防ガラス３の外周部端面が圧入されるパッキン８の内側周面８ｂには、上部側に形成された仮固定大径内周面８ｃと、その下方側に形成された本固定小径内周面８ｄと、仮固定大径内周面８ｃと本固定小径内周面８ｄとの間を繋ぐように形成された傾斜面（以下、「パッキン傾斜面」という）８ｅとが周方向に沿って形成されている。仮固定大径内周面８ｃの直径は、風防ガラス３の外径と略同じ寸法に設定されている。
【００３２】
仮固定大径内周面８ｃの上端面８ｆは、斜め外側へ向けてカットされ、面取り加工されている。また、本固定小径内周面８ｄの下端には、内側方向に突出した突出面８ｇが周方向に沿って形成されている。
【００３３】
仮固定大径内周面８ｃの部分の径方向の厚みは、本固定小径内周面８ｄの部分の径方向の厚みよりも小さく、仮固定大径内周面８ｃの径が本固定小径内周面８ｄの径よりも大きくなるように設定されている。仮固定大径内周面８ｃの高さ（断面高さ）ｈ１は、本固定小径内周面８ｄの高さ（断面高さ）ｈ２の半分程度以下となるように短く設定されている。また、本固定小径内周面８ｄの高さｈ２は、風防ガラス３の下部傾斜面３ｂ（図４参照）の高さｈ３（風防側面３ｃに沿った高さ）よりも長く設定されている。
【００３４】
パッキン傾斜面８ｅは、仮固定大径内周面８ｃの下端から本固定小径内周面８ｄの上端側に向けて直線的に内側方向へ傾斜している。パッキン傾斜面８ｅの傾斜長さは、風防ガラス３の下部傾斜面３ｂの傾斜長さよりも短く設定されている（図９参照）。また、パッキン傾斜面８ｅの傾斜角度θ１は、風防ガラス３の下部傾斜面３ｂの傾斜角度θ２よりも少し小さく設定されている（図９参照）。例えば、パッキン傾斜面８ｅの傾斜角度θ１が４５°で、下部傾斜面３ｂの傾斜角度θ２が５５°である。
【００３５】
次に、上記した時計１において、風防ガラス３をケース２の開口部周面２ａに設置したパッキン８の内側周面に圧入して組み込むときの手順を、図８（ａ）〜（ｄ）を参照して説明する。
【００３６】
図８（ａ）に示すように、パッキン８は、その外側周面８ａがケース２の開口部周面２ａに密着するように当接され、下面の突出面８ｇが下部の段部２ｂ上に当接されている。なお、ケース２の開口部周面２ａには、パッキン８の本固定小径内周面８ｄの上部付近の位置に対応して、断面が三角形状の凹部２ｃが周方向に沿って形成されている。
【００３７】
そして、図８（ａ）、（ｂ）に示すように、風防ガラス３を、ケース２の開口部周面２ａ上に冶具（不図示）によって載置した後に、下方に少し押し込むことで、風防ガラス３の風防側面３ｃの下部から中央部付近が仮固定大径内周面８ｃに面接触するとともに、風防ガラス３の下部傾斜面３ｂがパッキン傾斜面８ｅに後述するように線接触して、位置決めされた状態で仮固定される。
【００３８】
この際、パッキン８の上端面８ｆが面取り加工されているので、風防ガラス３の下部傾斜面３ｂとガラス端面３ｃを仮固定大径内周面８ｃ側に容易に挿入させることができる。
【００３９】
また、仮固定大径内周面８ｃの高さ（断面高さ）ｈ１は、本固定小径内周面８ｄの高さ（断面高さ）ｈ２の半分程度以下となるように短く設定され、更に、風防ガラス３の風防側面３ｃの外径は、パッキン８の仮固定大径内周面８ｃの直径と略同じ寸法なので、略隙間なく面接触しているが、接触面での摩擦力が小さい。
【００４０】
更に、図９に示すように、パッキン８のパッキン傾斜面８ｅの傾斜角度θ１よりも風防ガラス３の下部傾斜面３ｂの傾斜角度θ２の方が大きく、かつパッキン傾斜面８ｅの傾斜長よりも下部傾斜面３ｂの傾斜長の方が長く形成されて突出しているので、風防ガラス３の下部傾斜面３ｂは、パッキン傾斜面８ｅの端部８e’付近と略線接触で接した状態となる。
【００４１】
このように、図８（ｂ）、図９に示した風防ガラス３の仮固定時には、風防ガラス３の風防側面３ｃの下部から中央部付近が仮固定大径内周面８ｃに面接触するとともに、風防ガラス３の下部傾斜面３ｂがパッキン傾斜面８ｅの端部８e’付近と略線接触している状態なので、風防ガラス３の風防側面３ｃと仮固定大径内周面８ｃとの接触面での摩擦力を小さくすることができる。
【００４２】
よって、この風防ガラス３の仮固定時において、風防ガラス３を回転させて回転位置の調整を容易に行うことができる。例えば、図１０に示すように、風防ガラス３の表記部１２の「LON」の位置が、文字板４の「１２時」の時刻目盛１３に対して少し右側にずれて仮固定された場合に、風防ガラス３を、表記部１２の「LON」が文字板４上の「１２時」を示す時刻目盛１３と合致する位置まで反時計回りに少し回転させることで、図１、図５に示した正規の位置に容易に調整（修正）することができる。このように、本実施形態では、表記部１２を風防ガラス３の回転位置の基準となる位置あわせ部として利用している。
【００４３】
そして、風防ガラス３が正規の位置に仮固定されると、図８（ｃ）、（ｄ）に示すように、プレス装置（不図示）を用いて風防ガラス３の上面から押圧すると、風防ガラス３の下部傾斜面３ｂがパッキン傾斜面８ｅを乗り越えて、パッキン８のパッキン傾斜面８ｅ、本固定小径内周面８ｄが圧縮変形しながら風防ガラス３が圧入され、風防ガラス３の底部が突出面８ｇに接するまで圧入されて、本固定される。
【００４４】
図８（ｃ）は、本固定小径内周面８ｄにおける上端から凹部２ｃ付近までの部分が、風防ガラス３によってケース２側に圧縮変形した状態を示している。
【００４５】
尚、この本固定時に、パッキン８の本固定小径内周面８ｄの圧縮変形にともなうパッキン８の外側周面８ａ側へのはみ出しの一部は、風防ガラス３の下部傾斜面３ｂとパッキン８によって囲まれる空間と、ケース２の開口部周面２ａに形成した凹部２ｃに逃がすことができる。このように、ケース２に凹部２ｃを設けることにより、パッキン８の上下方向の動きを規制し、パッキン８の抜けを防止することができる。
【００４６】
ケース２に設けた凹部２ｃは、パッキン８の本固定小径内周面８ｄの高さ範囲であって、風防ガラス３の風防側面３ｃと対向する部分は、風防ガラス３を本固定する際に、パッキン８が、ケース２に最も強く押圧される部分である。従って、この位置に凹部２ｃを形成することにより、風防ガラス３を本固定のために押圧する途中で、パッキン８の一部を確実に凹部２ｃ内に逃がして、パッキン８の上下方向の位置ずれを防止すことができる。
【００４７】
このように、本固定時には、パッキン８の本固定小径内周面８ｄの圧縮変形によって、風防ガラス３の外周部端面（下部傾斜面３ｂ、風防側面３ｃ）がパッキン８の本固定小径内周面８ｄに良好に固定されるので、風防ガラス３とケース２の開口部周面２ａとの間の防水性や防塵性を確保することができる。
【００４８】
また、図８（ｄ）に示した本固定状態において、本固定小径内周面８ｄにおける風防ガラス３の風防側面３ｃと対向して面接触する部分（以下、「風防側面押圧部」という）８d’は、パッキン８が風防側面３ｃ面をほぼ垂直方向に押圧するため、風防ガラス３に対し、パッキン８が風防ガラス３を固定する押圧力が最も強く働く。従って、風防側面３ｃと風防側面押圧部８d’とが面接触する高さ方向長さが長い方が、風防ガラス３ｃを強固に固定することができる。
【００４９】
尚、本実施形態では、仮固定時に、風防ガラス８にパッキン８が面接触する部分である仮固定大径内周面８ｃの高さ方向の表面に沿った長さｈ１よりも、風防側面押圧部８d’の高さ方向長さを長く設定している。これにより、仮固定時での、パッキン８と風防ガラス３との摩擦力を小さくすることができるとともに、本固定時での、パッキン８が風防ガラス３を固定する押圧力を大きくすることができる。
【００５０】
更に、本実施形態では、下部傾斜面３ｂの高さｈ３（図４参照）をできるだけ短くし、風防側面３ｃの高さ方向長さをできるだけ長くして、風防側面押圧部８d’の高さ方向長さを、下部傾斜面３ｂの高さｈ３よりも長く設定することにより、風防ガラス３を強い固定力で固定している。
【００５１】
これに対し、前述の特許文献１の場合は、パッキンの本固定小径内周面（圧縮部）が風防ガラスの風防側面と面接触する風防側面押圧部における高さ方向長さが、風防ガラスが面接触する、仮固定大径内周面（案内部）及び傾斜面（面取り）における高さ方向の表面に沿った長さよりも短い。このため、仮固定時での、パッキンの仮固定大径内周面（案内部）と風防ガラスの側面との接触面での摩擦力が大きく、しかも、本実施形態と比較して、本固定時での、パッキンが風防ガラスを固定する押圧力が小さい。
【００５２】
更に、特許文献１の場合は、パッキンの本固定小径内周面（圧縮部）における風防ガラスの風防側面と対向する風防側面押圧部の高さ方向長さが、風防ガラスの下部傾斜面（面取り）よりも短いか、又は、風防ガラスの下部傾斜面（面取り）とほぼ同じ長さであるため、本実施形態と比較して、強い固定力で風防ガラスを固定することができない。
【００５３】
また、例えば、仮固定時に、仮固定大径内周面８ｃだけではなく、パッキン傾斜面８ｅも風防ガラス３に面接触する構造である場合は、仮固定大径内周面８ｃ及び下部傾斜面３ｂにおける高さ方向の表面に沿った長さ（仮固定大径内周面８ｃの高さｈ１と下部傾斜面３ｂの傾斜長さの合計）を、風防側面押圧部８d’における高さ方向長さよりも短く設定すると、仮固定時に風防ガラス３の摩擦力を小さくして、本固定時に風防ガラス３を固定する押圧力を大きくすることができる。
【００５４】
また、本実施形態では、風防ガラス３の下部傾斜面３ｂの傾斜方向長さを、パッキン傾斜面８ｅの傾斜方向長さよりも長く設定して、風防ガラス３の下部傾斜面３ｂをパッキン傾斜面８ｅからパッキン８の内側に突出させ、かつ、風防ガラス３の下部傾斜面３ｂの傾斜角度θ２を、パッキン傾斜面８ｅの傾斜角度θ１よりも大きく設定している。このため、図８（ｂ）に示した仮固定の状態では、プレス装置を用いて風防ガラス３の上面から押圧した際に、急斜面である風防ガラス３の下部傾斜面３ｂが、パッキン傾斜面８ｅを容易に乗り越えることができる。
【００５５】
仮に、風防ガラス３の下部傾斜面３ｂの傾斜角度θ２が、パッキン傾斜面８ｅの傾斜角度θ１と同じ角度である場合には、図８（ｂ）に示した仮固定の状態で風防ガラス３の下部傾斜面３ｂがパッキン傾斜面８ｅと面接触した状態となるため、風防ガラス３の上面を押圧したときに、下部傾斜面３ｂからパッキン傾斜面８ｅ全体に一様に下に押圧する力が働き、パッキン傾斜面８ｅ全体が変形して、風防ガラス３の下部傾斜面３ｂが、パッキン傾斜面８ｅを容易に乗り越えることができなくなる。
【００５６】
更に、風防ガラス３の下部傾斜面３ｂの傾斜角度θ２を、パッキン傾斜面８ｅの傾斜角度θ１よりも小さく設定した場合には、図８（ｂ）に示した仮固定の状態から風防ガラス３の上面を押圧したときに、風防ガラス３の下部傾斜面３ｂにおける風防側面３ｃに近い端部が、パッキン傾斜面８ｅにおける仮固定大径内周面８ｃに近い端部に当接する。このため、パッキン傾斜面８ｅが、風防ガラス３の下部傾斜面３ｂと同じ角度に変形して、互いに面接触した状態で風防ガラス３の下部傾斜面３ｂがパッキン傾斜面８ｅを押圧することとなり、風防ガラス３の下部傾斜面３ｂが、パッキン傾斜面８ｅを容易に乗り越えることができなくなってしまう。
【００５７】
また、風防ガラス３の下部傾斜面３ｂの傾斜角度θ２が、パッキン傾斜面８ｅの傾斜角度θ１より大きい場合であっても、風防ガラス３の下部傾斜面３ｂが、パッキン傾斜面８ｅからパッキン８の内側に突出しない場合には、図８（ｂ）に示した仮固定の状態から風防ガラス３の上面を押圧したときに、風防ガラス３の背面側に位置する下部傾斜面３ｂの内側の下端部がパッキン傾斜面８ｅに接する状態となる。このため、風防ガラス３の上面から押圧しても、下部傾斜面３ｂの内側の端部がパッキン傾斜面８ｅにめり込むなどにより、容易に乗り越えることができなくなってしまう。
【００５８】
前記実施形態では、パッキン８に突出面８ｇを設けているが、ケース２や他の部品の構造又は配置によっては、設けなくてもよい。また、前記実施形態では、風防ガラス３の内面に印刷した表記部１２には、都市名を示す３文字の英文字）と、時差を示す数字が表記された例であったが、これに限らず、例えば所定のマークや指標、記号などを表記してもよいし、特定の意味を持たない模様などでもよい。
【００５９】
なお、前記実施形態では、カバー部材が、時計の表面側に取り付けられる風防ガラスの例であったが、これ以外にも、例えば裏面側に透明なカバー部材が取り付けられた構造の時計においても同様に本発明を適用することができる。
【符号の説明】
【００６０】
１        時計
２        ケース
２ｃ      凹部
３        風防ガラス（カバー部材）
３ａ      上部傾斜面
３ｂ      下部傾斜面
３ｃ      風防側面
４        文字板（部材）
８        パッキン
８ａ      外側周面
８ｂ      内側周面
８ｃ      仮固定大径内周面
８ｄ      本固定小径内周面
８ｄ’    風防側面押圧部
８ｅ      パッキン傾斜面
８ｆ      上端面
８ｇ      突出面
１０      時計ムーブメント
１２      表記部（位置合せ部）
１３      時刻目盛（目盛り）
【図１】
0006353331.tif 000002
【図２】
0006353331.tif 000003
【図３】
0006353331.tif 000004
【図４】
0006353331.tif 000005
【図５】
0006353331.tif 000006
【図６】
0006353331.tif 000007
【図７】
0006353331.tif 000008
【図８】
0006353331.tif 000009
【図９】
0006353331.tif 000010
【図１０】
0006353331.tif 000011